(57)【要約】【課題】先行文献は、扇風機に噴霧ホルダを着脱自在とし、汎用性の向上を図るのには有効である。しかし、引掛け型水管が送風扇の送風方向に存在することから、送風の邪魔となること、遠方への送風に対して障害となること、又は振動が発生し、騒音の問題が発生すること等の弊害が考えられる。また送風扇を停止した場合に、噴霧ノズルから水滴が落下する虞がある。【構成】本発明は、ケーシングのブラケットに支持されるモータの出力軸に設けた羽根車と、羽根車用のガードと、ケーシングに設けた渦巻き形の静翼でなる撹拌扇で、ケーシングを囲繞する配管に設けたノズルには、配管にポンプを備えた連結管を設け、連結管にバイパス管路を介して電磁弁を設け、また水道管等の低圧水供給手段を設ける構成の低圧水用の細霧装置付きの撹拌扇である。【選択図】図１
2007231843.tif 000002
【特許請求の範囲】
【請求項１】
略筒状のケーシングに設けたブラケットで支持されたモータと、このモータの出力軸に固止した羽根車と、この羽根車の前方に、かつ適宜間隔をおいて設けた渦巻き形の静翼と、前記ケーシングの鍔部の周辺に設けたノズルを備えた配管と、この配管に水を供給するポンプを備えた連結管と、この連結管が接続される水道管又はタンクとで構成した低圧水用の細霧装置付きの撹拌扇。
【請求項２】
請求項１に記載の低圧水用の細霧装置付きの撹拌扇において、前記ポンプが電磁ポンプであって、この電磁ポンプは、通電時に閉塞する構成の電磁弁にバイパス管路を有する構成とした低圧水用の細霧装置付きの撹拌扇。
【請求項３】
請求項１に記載の低圧水用の細霧装置付きの撹拌扇において、前記配管に対して前記連結管を小径とする構成とした低圧水用の細霧装置付きの撹拌扇。
【請求項４】
請求項１に記載の低圧水用の細霧装置付きの撹拌扇において、前記ポンプを前記モータと併設する構成とした低圧水用の細霧装置付きの撹拌扇。
【発明の詳細な説明】
【技術分野】
【０００１】
本発明は、農事用、畜産用等として活用されている撹拌扇の改良を意図した低圧水用の細霧装置付きの撹拌扇に関する。
【背景技術】
【０００２】
従来、この種の撹拌扇に配管を介して搬送した流体を、一個又は数個のノズルより噴射する構成が先行文献として挙げられる。例えば、実用新案登録第３０６８５２５号の「ミストファン及びミストファンキット」、実開平７−９４５７号の「施湿用噴霧装置」等がある。しかし、これらの先行文献は、整流手段（静翼、整流板等）を備えていない構成であり、送風及び／又は細霧を遠方まで至らしめるには、問題がある。そして、また、これらの先行文献は、送風扇枠（ケーシング）にファンを設けた構成と、特異な形状の通風胴（ケーシング）にファンを設けた構成であり、筒状のケーシングとは、形態を異にする。従って、前述の如く、送風及び／又は細霧を遠方まで至らしめるには、問題がある。
【０００３】
そこで、本出願人は、これらの先行文献に関する改良を考え、既に、筒状のケーシングに、羽根車、モータ及び静翼と、噴射のノズル付の配管等を備えた細霧装置付きの撹拌扇を提案する。しかし、この出願発明でも望み得ない、さらなる改良が要望される状況となったことから、本出願人は、ここに、本発明を提案する。
【０００４】
尚、この提案に先駆けて関連する調査を行ったことから、調査文献として、下記に列挙し、その概要を説明する。文献（１）は、特開２００２−１７７８２３の「扇風機にも装着できる噴霧ホルダー」であり、その要旨は、扇風機の扇保護カバーの上側外周を越え、その送風側に至る先端噴霧ノズルを配備した引掛け型水管であって、この引掛け型水管に給水開閉用の開閉器と、給水ホースを接続し、かつこの引掛け型水管を、固定治具を介して扇保護カバーの保護フレームに着脱自在とすることを特徴とし、植物等への噴霧散布作業用としての利用と、冬場の乾燥期には加湿器等として利用し、また夏場の細霧冷房とするとともに、冷房が困難な屋外や広域空間場所等に適用できる噴霧ホルダを提供することを意図する。
【０００５】
また文献（２）は、実開平３−５２５１５号の「扇風機」であり、その要旨は、送風ファンの送風側の下方に、この送風ファンの中心に向かって水を噴射するノズルを備えた細霧発生器を付設した構成であり、細霧冷却として有効な扇風機を提供することを意図する。
【０００６】
【特許文献１】特開２００２−１７７８２３
【特許文献２】実開平３−５２５１５号
【発明の開示】
【発明が解決しようとする課題】
【０００７】
前記文献（１）は、扇風機に噴霧ホルダを着脱自在とし、汎用性の向上を図るのには有効である。しかしながら、引掛け型水管が送風扇の送風方向に存在することから、送風の邪魔となること、遠方への送風に対して障害となること、又は振動が発生し、騒音の問題が発生すること等の弊害が考えられる。そして、また送風扇を停止した場合に、噴霧ノズルから水滴が落下する虞があり、例えば、この例の使用の一例である噴霧散布作業において、育苗箱での生育における水滴の落下は、次のような弊害を発生する。即ち、苗の芽に水滴が落下すると、カビ等の発生による病気の蔓延や、露出による枯れの発生、又は生育不良の発生、また、収穫量の減少等が考えられ問題である。また屋外や広域空間場所等に使用した場合には、床面の濡れと、この濡れに起因する汚れ、不快感の発生の問題がある。そして、例外であるが、家庭での使用は、絨毯の濡れの発生による損傷の問題が考えられる。
【０００８】
また文献（２）は、家庭用、事務所用の扇風機に留まり、農畜産用（農事用、畜産用）としての使用は不可能である。そして、水滴の滴下に基づく問題は、前述の文献（１）と略同様に考えられる。
【０００９】
上記に鑑み本発明は、（１）細霧噴出用のノズルからの流体（薬剤を含む）を速やかに細霧化すること、（２）前記ノズルからの細霧の飛距離及び／又は拡散範囲を拡大すること、（３）作物にムラなく噴霧し、生育の向上と、育苗箱での最適な生育を図ること、（４）水滴の落下を回避し、カビ等の発生による病気の蔓延、露出による枯れの発生、又は生育不良の発生、また、収穫量の減少等を回避すること、（５）低圧水用の細霧装置付きの撹拌扇を提供し、高圧水を利用したこの種の弊害を回避し、次のような効果を発揮すること、例えば、（５−１）ホースの損傷防止、価格の低廉化、（５−２）撹拌扇の台数及び／又は配備の自由度の確保、（５−３）設備の簡略化、（５−４）ホース内の残圧をなくし、ホースの損傷防止と水滴の滴下をなくすこと、（５−５）撹拌扇の取扱いの容易化等を達成すること、（６）園芸ハウス内部を速くムラなく霧で包みこみ、葉面の裏まで霧を届かせること、又は防除に効果を発揮すること、また細霧のミスト化が促進され、作物の葉面を必要以上に濡らさず噴霧状況を確保すること及び／又は最適な噴霧を行うこと等を意図する。
【課題を解決するための手段】
【００１０】
請求項１の発明は、前述した（１）〜（６）の目的を達成することを意図する。
【００１１】
請求項１は、略筒状のケーシングに設けたブラケットで支持されたモータと、このモータの出力軸に固止した羽根車と、この羽根車の前方に、かつ適宜間隔をおいて設けた渦巻き形の静翼と、前記ケーシングの鍔部の周辺に設けたノズルを備えた配管と、この配管に水を供給するポンプを備えた連結管と、この連結管が接続される水道管又はタンクとで構成した低圧水用の細霧装置付きの撹拌扇である。
【００１２】
請求項２の発明は、請求項１の目的を達成すること、この目的を達成するための最適な水滴の落下防止を図る機構を提供すること等を意図する。
【００１３】
請求項２は、請求項１に記載の低圧水用の細霧装置付きの撹拌扇において、前記ポンプが電磁ポンプであって、この電磁ポンプは、通電時に閉塞する構成の電磁弁にバイパス管路を有する構成とした低圧水用の細霧装置付きの撹拌扇である。
【００１４】
請求項３の発明は、請求項１の目的を達成すること、この目的を達成するための最適な配管と連結管の構造を提供すること等を意図する。
【００１５】
請求項３は、請求項１に記載の低圧水用の細霧装置付きの撹拌扇において、前記配管に対して前記連結管を小径とする構成とした低圧水用の細霧装置付きの撹拌扇である。
【００１６】
請求項４の発明は、請求項１の目的を達成すること、この目的を達成するための最適なポンプとモータの機構を提供すること等を意図する。
【００１７】
請求項４は、請求項１に記載の低圧水用の細霧装置付きの撹拌扇において、前記ポンプを前記モータと併設する構成とした低圧水用の細霧装置付きの撹拌扇である。
【発明の効果】
【００１８】
請求項１の発明は、略筒状のケーシングに設けたブラケットで支持されたモータと、モータの出力軸に固止した羽根車と、羽根車の前方に、かつ適宜間隔をおいて設けた渦巻き形の静翼と、ケーシングの鍔部の周辺に設けたノズルを備えた配管と、配管に水を供給するポンプを備えた連結管と、連結管が接続される水道管又はタンクとで構成した低圧水用の細霧装置付きの撹拌扇である。
【００１９】
従って、請求項１は、（１）細霧噴出用のノズルからの流体（薬剤を含む）を速やかに細霧化できること、（２）前記ノズルからの細霧の飛距離及び／又は拡散範囲を拡大できること、（３）作物にムラなく噴霧し、生育の向上と、育苗箱での最適な生育が図れること、（４）水滴の落下を回避し、カビ等の発生による病気の蔓延、露出による枯れの発生、又は生育不良の発生、また、収穫量の減少等が回避できること、（５）低圧水用の細霧装置付きの撹拌扇を提供し、高圧水を利用したこの種の弊害を回避し、次のような効果を発揮できること、例えば、（５−１）ホースの損傷防止、価格の低廉化、（５−２）撹拌扇の台数及び／又は配備の自由度の確保、（５−３）設備の簡略化、（５−４）ホース内の残圧をなくし、ホースの損傷防止と水滴の滴下をなくすこと、（５−５）撹拌扇の取扱いの容易化等が達成できること、（６）園芸ハウス内部を速くムラなく霧で包みこみ、葉面の裏まで霧を届かせること、又は防除に効果が発揮できること、また細霧のミスト化が促進され、作物の葉面を必要以上に濡らさず噴霧状況を確保できること及び／又は最適な噴霧が行えること等の特徴がある。
【００２０】
請求項２の発明は、請求項１に記載の低圧水用の細霧装置付きの撹拌扇において、ポンプが電磁ポンプであって、電磁ポンプは、通電時に閉塞する構成の電磁弁にバイパス管路を有する低圧水用の細霧装置付きの撹拌扇である。
【００２１】
従って、請求項２は、請求項１の目的を達成できること、この目的を達成するための最適な水滴の落下防止を図る機構を提供できること等の特徴がある。
【００２２】
請求項３の発明は、請求項１に記載の低圧水用の細霧装置付きの撹拌扇において、配管に対して連結管を小径とする低圧水用の細霧装置付きの撹拌扇である。
【００２３】
従って、請求項３は、請求項１の目的を達成できること、この目的を達成するための最適な配管と連結管の構造を提供できること等の特徴がある。
【００２４】
請求項４の発明は、請求項１に記載の低圧水用の細霧装置付きの撹拌扇において、ポンプをモータと併設する低圧水用の細霧装置付きの撹拌扇である。
【００２５】
従って、請求項４は、請求項１の目的を達成できること、この目的を達成するための最適なポンプとモータの機構を提供できること等の特徴がある。
【発明を実施するための最良の形態】
【００２６】
本発明の一例を説明する。
【００２７】
図面の説明をすると、図１はハウスに本発明の低圧水用の細霧装置付きの撹拌扇を配置した状態の側面図、図２は低圧水用の細霧装置付きの撹拌扇の正面図、図３は低圧水用の細霧装置付きの撹拌扇の背面図、図４は低圧水用の細霧装置付きの撹拌扇の平面図、図５は低圧水用の細霧装置付きの撹拌扇の側面図、図６は低圧水用の細霧装置付きの撹拌扇の正面斜視図、図７は低圧水用の細霧装置付きの撹拌扇の背面斜視図、図８はノズルからの水滴落下防止を図るのに最適なフローチャートである。
【００２８】
図中１は筒状を呈するベルマウス部を備えたケーシングで、このケーシング１の吸込み側（後方側）に位置する鍔部１ａには複数本のブラケット２を支持し、このブラケット２にモータ３を取付ける。このモータ３の出力軸３０には羽根車４を軸支する。また前記ケーシング１の吹出し側（前方側）には巻絞り部１ｂを設け、この巻絞り部１ｂの吹出し方向端部のやや内方には渦巻き形の静翼５を設ける。そして、この静翼５は断面視して吹出し方向に向かってテーパー形状を呈しており、風の吹出しをスムーズにして、到達距離の補助と、翼体５０の強度の確保、又は樹脂成形の特性を利用すること等を目的とする。図中６は羽根車４のガードを示しており、前記ブラケット２に支持されている。尚、この静翼５はケーシング１の吹出し方向端部のやや内方で、羽根車４からの送風を遠方に、かつ略円筒状に送出すことを目的とする。またこのケーシング１に囲繞するように設けた配管８に等間隔に複数のノズル７を設ける。そして、このノズル７がケーシング１の吹出し方向端部の前方に位置するとともに、ケーシング１内において、風の移動をスムーズにし、また羽根車４からの送風を遠方に、かつ略円筒状に送出すことを目的とする。そして、この送風の特性を活用することで、ノズル７から噴射される流体の細霧化を促進しつつ、かつ細霧を遠方に飛ばすとともに細霧拡散が図れる。このような構成であることから、ハウスＨ内の広域的な範囲に、細霧を供給でき、配置台数の減少化、省資源化、環境保護等に役立て得る特徴がある。さらにこの細霧の一層の広域的な拡散を必要とする場合は、本発明の撹拌扇の首振り及び／又は俯仰角調整を図る（図示せず）。尚、この全部のノズル７は図６に示した如く、軸心方向（羽根車４の軸心方向）に傾斜することで、噴射（噴霧）方向の収歛化と、羽根車４で生成される風に確実に混入できること等の特徴があり、前述の通り、噴射される流体の細霧化を促進しつつ、かつ細霧を遠方に飛ばすとともに細霧拡散が図れる。勿論、このノズル７の方向は全部及び／又は一部を変更可能であり、気候及び／又は作物（家畜）、取付け位置、ハウスＨ（畜舎）の形態等により選択する。そして、本発明は前述の如く、ノズル７より噴射された流体が、瞬時に細霧化されるとともに、ケーシング１の吹出し方向端部から吹出される風に誘導され、広域的に拡散される特徴がある。
【００２９】
前記配管８はケーシング１に固止した複数個の取付け体１３で適宜間隔を持って支持され、この配管８にケーシング１の振動が伝達しない構成とし、ノズル７からの均等な噴射を意図する。
【００３０】
図中１０はケーシング１のガード６に設けたポンプ（電磁ポンプ）で、このポンプ１０と前記配管８とを連結管１１を介して連結し、この連結管１１は配管８に対して小径とし、高圧水を配管８に給送する構成となっている。そして、このポンプ１０には水道水に直結する給水用の配管１２ａ又は取外自在の螺子式の止め栓１４を利用した密閉式のタンク１５（サブタンク）に直結する配管１２ｂ等が設けられる。図中１６はタンク１５に給水する配管を示す。そして、本発明は、前記ポンプ１０に低圧水である水道水、又はタンク１５の水、薬液等の流体を供給する。尚、前記タンク１５から配管１８を介して図示しない流体を貯留した本タンクに連結することもあり得る。
【００３１】
尚、図８のフローチャートの如く、ポンプ１０の残圧により、ノズル７の先端からの水滴の落下を回避するために、バイパス管路２０を設け、ここに常時閉鎖回路の電磁弁２１を配備する。これにより、ポンプ１０の停止時に連結管１１内の残圧をタンク１５等に至らしめる構成となっている。従って、この回路を利用することで、ポンプ１０の停止時において、ノズル７の水滴の発生及び／又は場合により落下等を回避し、前述のような効果を達成する。尚、残圧の排除は一例であり、同様な効果が図れる他の構成でも採用できる。
【図面の簡単な説明】
【００３２】
【図１】図１はハウスに本発明の低圧水用の細霧装置付きの撹拌扇を配置した状態の側面図
【図２】図２は低圧水用の細霧装置付きの撹拌扇の正面図
【図３】図３は低圧水用の細霧装置付きの撹拌扇の背面図
【図４】図４は低圧水用の細霧装置付きの撹拌扇の平面図
【図５】図５は低圧水用の細霧装置付きの撹拌扇の側面図
【図６】図６は低圧水用の細霧装置付きの撹拌扇の正面斜視図
【図７】図７は低圧水用の細霧装置付きの撹拌扇の背面斜視図
【図８】図８はノズルからの水滴落下防止を図るのに最適なフローチャート
【符号の説明】
【００３３】
１              ケーシング
１ａ            鍔部
１ｂ            巻絞り部
２              ブラケット
３              モータ
３０            出力軸
４              羽根車
５              静翼
５０            翼体
６              ガード
７              ノズル
８              配管
１０            ポンプ
１１            連結管
１２ａ          配管
１２ｂ          配管
１３            取付け体
１４            止め栓
１５            タンク
１６            配管
１８            配管
２０            バイパス管路
２１            電磁弁
Ｈ              ハウス
【図１】
2007231843.tif 000003
【図２】
2007231843.tif 000004
【図３】
2007231843.tif 000005
【図４】
2007231843.tif 000006
【図５】
2007231843.tif 000007
【図６】
2007231843.tif 000008
【図７】
2007231843.tif 000009
【図８】
2007231843.tif 000010